(57)【要約】  記録媒体並びに該記録媒体を管理するための方法及び装置を提供する。本発明の一形態に係る複数の記録層を備えた記録媒体を管理する方法は、記録媒体の第１の記録層の第１の領域上で欠陥を確認するステップと、第１の領域のための第１の欠陥管理情報を記録媒体の管理領域に記録するステップと、記録媒体の第２の記録層の第２の領域についての第２の欠陥管理情報を管理領域に記録するステップを含み、そして、第２の領域は第１の領域と物理的に対応する位置に存在する。また、他の形態に係る記録媒体の管理方法は、記録媒体の欠陥領域に関する情報を含む欠陥リストを記録媒体の管理領域内の少なくとも１つ以上の欠陥リスト位置に記録するステップと、欠陥リスト位置の記録状態を表す状態情報を管理領域に記録するステップを含む。
2009540480.tif 000002
【特許請求の範囲】
【請求項１】
複数の記録層を持つ記録媒体を管理する方法であって、
前記記録媒体の第１の記録層内の第１の領域上で欠陥を検出するステップと、
前記第１の領域のための第１の欠陥管理情報を前記記録媒体の管理領域に記録するステップと、
前記記録媒体の第２の記録層に含まれ、前記第１の領域と物理的に対応する位置に存在する第２の領域のための第２の欠陥管理情報を前記管理領域に記録するステップと
を含むことを特徴とする方法。
【請求項２】
前記第２の欠陥管理情報が、前記第１の記録層よりも上位に存在する全ての第２の領域に関する情報を含むことを特徴とする請求項１に記載の方法。
【請求項３】
前記第２の欠陥管理情報が、前記第１の記録層よりも下位に存在する全ての第２の領域に関する情報を含むことを特徴とする請求項１に記載の方法。
【請求項４】
前記第１の欠陥管理情報が、ＲＡＤ領域またはＮＲＤ領域のいずれかに関する情報であることを特徴とする請求項１に記載の方法。
【請求項５】
前記第２の欠陥管理情報が、ＰＢＡに関する情報であることを特徴とする請求項１に記載の方法。
【請求項６】
前記第１の欠陥管理情報と前記第２の欠陥管理情報が、前記管理領域内の欠陥リストに記録されることを特徴とする請求項１に記載の方法。
【請求項７】
前記第１の欠陥管理情報が、前記第１の領域の最初の物理的セクターナンバー情報を含み、前記第２の欠陥管理情報が、前記第２の領域の最初の物理的セクターナンバー情報を含むことを特徴とする請求項１に記載の方法。
【請求項８】
複数の記録層を含む記録媒体を管理する装置であって、
前記記録媒体の第１の記録層内の第１の領域上で欠陥を検出し、前記第１の領域のための第１の欠陥管理情報が前記記録媒体の管理領域に記録されるように制御し、前記記録媒体の第２の記録層に含まれ、前記第１の領域と物理的に対応する位置に存在する第２の領域のための第２の欠陥管理情報が、前記管理領域に記録されるように制御する制御器を含むことを特徴とする装置。
【請求項９】
前記装置が、前記記録媒体にデータを記録する記録部をさらに含み、
前記制御部が、前記第１の欠陥管理情報と前記第２の欠陥管理情報を前記管理領域に記録するように前記記録部を制御することを特徴とする請求項８に記載の装置。
【請求項１０】
前記第１の欠陥管理情報が、ＲＡＤ領域またはＮＲＤ領域のいずれかに関する情報であり、前記第２の欠陥管理情報が、ＰＢＡに関する情報であることを特徴とする請求項８に記載の装置。
【請求項１１】
複数の記録層を備えた記録媒体であって、
前記記録媒体の第１の記録層内の、欠陥を有する第１の領域のための第１の欠陥管理情報を含む記録媒体管理領域を含み、
前記管理領域は、第２の記録層内の、前記第１の領域と物理的に対応する位置に存在する第２の領域のための第２の欠陥管理情報を含むことを特徴とする記録媒体。
【請求項１２】
前記第１の欠陥管理情報が、ＲＡＤ領域またはＮＲＤ領域のいずれかに関する情報であり、前記第２の欠陥管理情報が、ＰＢＡに関する情報であることを特徴とする請求項１１に記載の記録媒体。
【請求項１３】
管理領域を含む記録媒体であって、
前記管理領域は、欠陥リストが保存される１つ以上の欠陥リスト位置を含み、
前記管理領域は、前記欠陥リスト位置の記録状態を表す状態情報をさらに含むことを特徴とする記録媒体。
【請求項１４】
前記状態情報が、前記欠陥リスト位置に有効欠陥リストが記録されているか否かを表す情報であることを特徴とする請求項１３に記載の記録媒体。
【請求項１５】
前記状態情報が、前記欠陥リスト位置に有効欠陥リストが記録されているか、有効でない欠陥リストが記録されているか、ダミーデータが記録されているか、データが記録されていないか、のうちいずれか１つを表す情報であることを特徴とする請求項１３に記載の記録媒体。
【請求項１６】
記録媒体を管理する方法であって、
前記記録媒体の管理領域から１つ以上の欠陥リスト位置の記録状態を表す状態情報を読み出すステップと、
前記読み出された状態情報を用いて前記欠陥リスト位置のうち有効欠陥リストを含む位置を確認するステップと、
前記確認された位置から前記有効欠陥リストを読み出すステップと
を含むことを特徴とする方法。
【請求項１７】
前記管理領域から前記有効欠陥リストを含む最初の位置を表す情報を読み出すステップをさらに含むことを特徴とする請求項１６に記載の方法。
【請求項１８】
前記最初の位置に記録された欠陥リストが有効でない欠陥リストであれば、前記読み出された状態情報を用いて有効欠陥リストが記録された次の位置を確認するステップをさらに含むことを特徴とする請求項１７に記載の方法。
【請求項１９】
記録媒体を管理する装置であって、
前記記録媒体の管理領域から１つ以上の欠陥リスト位置の記録状態を表す状態情報を読み出し、前記読み出された状態情報を用いて前記欠陥リスト位置のうち有効欠陥リストを含む位置を確認し、前記確認された位置から前記有効欠陥リストを読み出す制御器を含むことを特徴とする装置。
【請求項２０】
前記記録媒体からデータを読み出す読出部をさらに含み、
前記制御器は、前記管理領域から前記状態情報を読み出すように前記読出部を制御することを特徴とする請求項１９に記載の装置。
【請求項２１】
記録媒体を管理する方法であって、
前記記録媒体の欠陥領域に関する情報を含む欠陥リストを、前記記録媒体の管理領域内の少なくとも１つ以上の欠陥リスト位置に記録するステップと、
前記欠陥リスト位置の記録状態を表す状態情報を前記管理領域に記録するステップと
を含むことを特徴とする方法。
【請求項２２】
前記状態情報が、前記欠陥リスト位置に有効欠陥リストが記録されているか否かを表す情報であることを特徴とする請求項２１に記載の方法。
【請求項２３】
記録媒体を管理する装置であって、
前記記録媒体の欠陥領域に関する情報を含む欠陥リストを、前記記録媒体の管理領域内の少なくとも１つ以上の欠陥リスト位置に記録されるように制御し、前記欠陥リスト位置の記録状態を表す状態情報が前記管理領域に記録されるように制御する制御器を含むことを特徴とする装置。
【請求項２４】
前記記録媒体にデータを記録する記録部をさらに含み、
前記制御器は、前記欠陥リスト及び前記状態情報を前記記録媒体に記録するように前記記録部を制御することを特徴とする請求項２３に記載の装置。
【発明の詳細な説明】
【技術分野】
【０００１】
本発明は、記録媒体並びに記録媒体に対するデータの記録／再生方法及び装置に関する。より具体的には、記録媒体にデータを効率的に記録し、かつ／または記録媒体のデータを効率的に再生するための方法及び装置に関する。
【背景技術】
【０００２】
一般的に、大容量のデータを記録可能な記録媒体として光ディスクが広く使用されている。その中でも、最近では、高画質のビデオデータ及び高品質のオーディオデータを長時間、記録・保存可能な高密度光記録媒体（例えば、ブルーレイディスク（ＢＤ））が開発されている。
【０００３】
次世代の記録媒体技術であるブルーレイディスク（ＢＤ）は、既存のＤＶＤを著しく凌駕するデータを記録可能な次世代の光記録ソリューションと考えられている。近年、多くの開発者により集中的な研究開発が行われ、他のデジタル機器の研究開発とともにＢＤに関する国際標準規格の仕様が定められてきている。
【０００４】
しかしながら、上述の記録／再生方法で用いられる記録媒体（例えば、ブルーレイディスク（ＢＤ））に欠陥が生じる場合に対処できる好適な管理方法が確立しておらず、ブルーレイディスク（ＢＤ）基盤の記録／再生装置を開発する上で多くの制約及び課題が存在する。
【発明の開示】
【発明が解決しようとする課題】
【０００５】
したがって、本発明は、従来技術の制約及び不都合による１つまたは複数の課題を実質的に解決するための、記録媒体並びに記録媒体に／からデータを記録／再生する方法及び装置を対象にする。
【０００６】
本発明の目的は、欠陥を管理する構造を備えた記録媒体を提供すると共に、該記録媒体の欠陥を管理する方法及び装置を提供することにある。
【０００７】
本発明の利点、目的及び特徴は、一部は発明の詳細な説明に記述された内容から説明され、一部は以下の内容を実施することにより当業者にとって明らかとなり、また本発明の実施から知ることができる。本発明の目的及び他の利点は、添付図面だけでなく、発明の詳細な説明及び特許請求の範囲に記載された構造から実現可能である。
【課題を解決するための手段】
【０００８】
本発明の目的に従ってこれらの課題及び利点を達成すべく、本明細書に具体化され且つ包括的に記述されたように、複数の記録層を持つ記録媒体を管理する方法は、前記記録媒体の第１の記録層内の第１の領域上で欠陥を検出するステップと、前記第１の領域のための第１の欠陥管理情報を前記記録媒体の管理領域に記録するステップと、前記記録媒体の第２の記録層に含まれ、前記第１の領域と物理的に対応する位置に存在する第２の領域のための第２の欠陥管理情報を前記管理領域に記録するステップと、を含む。
【０００９】
前記第１の欠陥管理情報は、ＲＡＤ（re-allocatable defect）領域またはＮＲＤ（non-re-allocatable defect）領域に関する情報であり得る。前記第２の欠陥管理情報は、ＰＢＡに関する情報であり得る。
【００１０】
本発明の他の実施例は、複数の記録層を含む記録媒体を管理する装置を提供する。この装置は、前記記録媒体の第１の記録層内の第１の領域上で欠陥を検出し、前記第１の領域のための第１の欠陥管理情報が前記記録媒体の管理領域に記録されるように制御し、前記記録媒体の第２の記録層に含まれ、前記第１の領域と物理的に対応する位置に存在する第２の領域のための第２の欠陥管理情報が、前記管理領域に記録されるように制御する制御器と、を含む。
【００１１】
前記欠陥管理装置は、前記記録媒体にデータを記録する記録部をさらに含むことができ、前記制御部は、前記第１の欠陥管理情報と前記第２の欠陥管理情報を前記管理領域に記録するように前記記録部を制御する。
【００１２】
本発明のさらに他の実施例は、複数の記録層を備えた記録媒体を提供する。この記録媒体は、前記記録媒体の第１の記録層内の領域であり且つ欠陥を有する第１の領域のための第１の欠陥管理情報を含む記録媒体管理領域を含み、この管理領域は、第２の記録層内の前記第１の領域と物理的に対応する位置に存在する第２の領域のための第２の欠陥管理情報を含む。
【００１３】
本発明のさらに他の実施例は、管理領域を含む記録媒体を提供し、この管理領域は、欠陥リストが保存される１つ以上の欠陥リスト位置を含み、前記欠陥リスト位置の記録状態を表す状態情報をさらに含む。
【００１４】
前記状態情報は、前記欠陥リスト位置に有効欠陥リストが記録されているか否かを表す情報であり得る。
【００１５】
前記前記状態情報は、前記欠陥リスト位置に有効欠陥リストが記録されているか、有効でない欠陥リストが記録されているか、ダミーデータが記録されているか、または、データが記録されていないか、という中でいずれか１つを表す情報であり得る。
【００１６】
本発明のさらに他の実施例は、記録媒体を管理する方法を提供する。この方法は、前記記録媒体の管理領域から１つ以上の欠陥リスト位置の記録状態を表す状態情報を読み出すステップと、前記読み出された状態情報を用いて前記欠陥リスト位置のうち有効欠陥リストを含む位置を確認するステップと、前記確認された位置から前記有効欠陥リストを読み出すステップと、を含む。
【００１７】
本発明のさらに他の実施例は、記録媒体を管理する装置を提供する。この装置は、前記記録媒体の管理領域から１つ以上の欠陥リスト位置の記録状態を表す状態情報を読み出し、この読み出された状態情報を用いて前記欠陥リスト位置のうち有効欠陥リストを含む位置を確認し、前記確認された位置から前記有効欠陥リストを読み出す制御器を含む。
【００１８】
本発明のさらに他の実施例は、記録媒体を管理する方法を提供する。この方法は、前記記録媒体の欠陥領域に関する情報を含む欠陥リストを、前記記録媒体の管理領域内の少なくとも１つ以上の欠陥リスト位置に記録するステップと、前記欠陥リスト位置の記録状態を表す状態情報を前記管理領域に記録するステップと、を含む。
【００１９】
本発明のさらに他の実施例は、記録媒体を管理する装置を提供する。この装置は、前記記録媒体の欠陥領域に関する情報が含む欠陥リストを、前記記録媒体の管理領域内の少なくとも１つ以上の欠陥リスト位置に記録されるように制御し、前記欠陥リスト位置の記録状態を表す状態情報が前記管理領域に記録されるように制御する制御器を含む。
【００２０】
本発明についての上記説明及び以下の詳細な説明は、例示的なものであって、特許請求の範囲に記載された発明の詳細な説明のために提供されたものである。
【発明の効果】
【００２１】
本発明によれば、記録／再生装置１０は、１つ以上の記録層を備えた記録媒体において有効欠陥リストの記録された欠陥リストポジションを効率的に見つけることができ、結果として、記録／再生装置１０は記録媒体を効率的に使用することが可能になる。
【００２２】
また、記録／再生装置１０は、欠陥リストの状態情報を用いることによって、欠陥リストの記録されたポジションがより詳細にわかり、記録媒体のデータを効率的に再生し、記録媒体にデータをより効率的に記録することが可能になる。
【発明を実施するための最良の形態】
【００２３】
以下、添付図面に例示されている実施例である本発明の複数の実施形態を詳細に説明する。図面中、同一または類似な部分を示すために可能な限り同一の参照符号を付する。
【００２４】
なお、本発明で使われる用語は、当該技術分野における一般的な技術用語に対応するが、必要に応じて出願人が任意に選定した用語もあり、その場合には以下の部分において詳細にその意味を説明する。したがって、出願人によって定義された用語は、定義されたその意味によって理解されることが好ましい。
【００２５】
本発明でいう「記録媒体」は、データが記録されている記録媒体または記録可能な全ての媒体を意味し、例えば、光ディスク、磁気テープなど記録方式に関らず全ての媒体を包括する意味である。より具体的には、ＣＤ、ＤＶＤ、ＢＤ、ＨＤ−ＤＶＤ、ＮＦＲ（Near Field Recording）ディスクなどの様々な光ディスクが、上記の記録媒体として使用可能である。
【００２６】
「管理領域」は、記録媒体の管理情報を記録する特定の領域を意味する。記録媒体には様々な管理領域を割り当てることができる。本発明の説明の便宜上及びより深い理解を得るために、本発明の管理領域の例として、ディスク（または、欠陥）管理領域（Disc (or defect）Management Area：「ＤＭＡ」）と臨時ＤＭＡ（temporary DMA：「ＴＤＭＡ」）を使用する。ＤＭＡとＴＤＭＡは、記録媒体についての欠陥情報及び／または記録管理情報を提供する。記録媒体は、その種類及びフォーマットによって、ＤＭＡとＴＤＭＡを両方とも含んでも良く、両方のいずれか一つのみを含んでも良い。
【００２７】
ＴＤＭＡには記録媒体がクローズ（close）、またはファイナライズ（finalize）される以前の管理情報が記録され、ＤＭＡには記録媒体がクローズされる時の最終的な管理情報が記録される。
【００２８】
本発明でいう「欠陥リスト（Defect List：ＤＦＬ）」は、記録媒体の記録／再生動作中に発生または検出された欠陥に関する管理情報を含む特定のリストを意味する。この欠陥リストは管理領域に保存可能である。例えば、ＴＤＭＡは、ディスク使用中、すなわち、ディスクがクローズされる前に検出される欠陥に関する情報を含む臨時欠陥リスト（temporary DFL：ＴＤＦＬ）を保存することができ、一方、ＤＭＡは、ディスクがクローズされる時の欠陥に関する管理情報を含む欠陥リストを保存することができる。このＤＭＡに保存された管理情報は、記録媒体に対する最終の管理情報となる。
【００２９】
図１は、本発明の一実施形態に係る記録媒体の構造を示す図である。本発明の説明の便宜上及びより深い理解を得るために、記録層が４つあるディスクを挙げて説明するが、本発明は、１つ以上の記録層を有するいずれの記録媒体にも適用可能であることに留意する必要がある。
【００３０】
図１を参照すると、ディスク内の４つの各記録層は、ディスク内周から、内周ゾーン（Inner Zone）、データゾーン（Data Zone）及び外周ゾーン（Outer Zone）に区分される。データゾーンには、ユーザーデータが記録されるユーザーデータ領域（User Data Area）と、ディスクの欠陥管理のためのスペア領域（Spare Area）としてＩＳＡ（Inner Spare Area）及びＯＳＡ（Outer Spare Area）とが割り当てられる。ただし、スペア領域は必要に応じてデータゾーンに割り当てられなくても良い。
【００３１】
内周ゾーン及び外周ゾーンには、管理領域であるＤＭＡが割り当てられる。例えば、各記録層の内周ゾーンはＤＭＡ２及びＤＭＡ１を備え、外周ゾーンはＤＭＡ３及びＤＭＡ４を備えることができる。
【００３２】
なお、１回のみ記録可能なディスクでは、その特性上、これらのＤＭＡの他に、ディスク使用中の欠陥管理情報が保存されるＴＤＭＡをさらに備えることができる。ＴＤＭＡが割り当てられる位置と、ＤＭＡとＴＤＭＡの具体的な関係については、図６を参照して後述する。
【００３３】
「欠陥管理情報」は、ディスクの記録／再生動作中に発生または検出される欠陥に関する情報を意味する。欠陥管理情報は、管理領域に記録可能である。
【００３４】
特に、上記の欠陥管理情報は、管理領域に保存された欠陥リストに記録可能である。例えば、欠陥管理情報は、ディスク内に発生した欠陥領域の一例である欠陥クラスタ（defective cluster）の位置情報及び当該欠陥領域を代替する代替領域（replacement area）の位置情報を含むことができる。また、欠陥管理情報は、欠陥領域の欠陥タイプを表す特定の情報を含むことができる。
【００３５】
様々な欠陥タイプ、例えば、ＲＡＤ（Re-allocatable (or re-allocated) Defect）タイプ、ＮＲＤ（Non-Re-allocatable Defect）タイプ及びＰＢＡ（Possibly Bad Area）タイプを用いることができる。ＲＡＤタイプは、代替アドレス（replacement address）が割り当てられた欠陥領域を識別する。ＮＲＤタイプは、欠陥と表示されるが、欠陥領域のために割り当てられる代替アドレスなしに欠陥領域を識別する。ＰＢＡタイプは、欠陥の存在する可能性があり、かつ信頼性（reliability）が確認されなければならないディスク上の領域を示す。
【００３６】
また、ＲＡＤタイプの欠陥領域上のオリジナルデータは、スペア位置（spare location）及び／または代替位置（replacement (alternative) location）に記録され、ＲＡＤタイプは、第１のＲＡＤタイプと第２のＲＡＤタイプとに区分される。
【００３７】
第１のＲＡＤタイプの欠陥領域に関する情報は、欠陥リストに登録される。第２のＲＡＤタイプの欠陥領域上のオリジナルデータは、元来の位置（original location）つまり欠陥領域に記録され、欠陥領域についての代替位置はスペア領域にのみ割り当てられる。
【００３８】
説明の便宜上及びより深い理解のため、以下では、ＮＲＤタイプまたはＲＡＤタイプの欠陥管理情報を第１の欠陥管理情報とし、ＰＢＡタイプの欠陥管理情報を第２の欠陥管理情報として説明する。
【００３９】
なお、上記の欠陥タイプは、ディスクのカテゴリーによって上記とは異なるタイプに定義されても良い。１回のみ記録可能なディスクにおける欠陥タイプは、ＲＡＤ（Re-allocated Defect）タイプと、ＣＲＤ（Contiguous Re-allocated Defect）タイプと、ＮＲＤ（Non-Re-allocated Defect）タイプとに分類することができる。この場合、ＲＡＤタイプは、代替アドレス（replacement address）が割り当てられた単一の欠陥領域または上書き領域を識別し、当該欠陥領域上のオリジナルデータはその代替アドレス（即ち、スペア／代替位置）に記録される。ＣＲＤタイプは、連続した範囲の代替アドレスが割り当てられた連続した欠陥領域または上書き領域（例えば、連続した欠陥クラスタまたは上書きクラスタ）を識別し、当該欠陥領域または上書き領域上のオリジナルデータはその代替アドレス（即ち、スペア／代替位置）に記録される。ＮＲＤタイプは、欠陥と表示されるが、代替アドレスが割り当てられることなしに単一の欠陥を識別する。
【００４０】
図２は、本発明による欠陥リスト（ＤＦＬ）を示す図である。図２を参照すると、欠陥リストは、ディスク上の欠陥のリストを含む。このリストは欠陥リストエントリー（DFL entry）を含むことができる。このＤＦＬエントリーは、欠陥領域と代替領域に関する情報を提供し、個々の欠陥の種類と位置を識別（identify）する。具体的に説明すると、エントリーは、エントリーの第１の状態情報を表す「Ｓｔａｔｕｓ  １」フィールドと、代替（replace）／表示（indicate）される欠陥クラスタの最初の物理セクター番号（ＰＳＮ：physical sector number）を表す「Ｄｅｆｅｃｔｉｖｅ  Ｃｌｕｓｔｅｒ  ｆｉｒｓｔ  ＰＳＮ」フィールドと、エントリーの第２の状態情報を表す「Ｓｔａｔｕｓ  ２」フィールドと、代替されるべきクラスタを代替するクラスタの最初の物理セクター番号またはＰＢＡの長さを表す「Ｒｅｐｌａｃｅｍｅｎｔ  Ｃｌｕｓｔｅｒ  ｆｉｒｓｔ  ＰＳＮ」フィールドを含む。
【００４１】
「Ｓｔａｔｕｓ  １」フィールドによる欠陥タイプを詳細に説明する。例えば、「Ｓｔａｔｕｓ  １」フィールドが「００００」（Status 1=0000）の場合は第１のＲＡＤタイプを表す。「Ｓｔａｔｕｓ  １」フィールドが「１０００」（Status 1=1000）の場合は第２のＲＡＤタイプを表す。「Ｓｔａｔｕｓ  １」フィールドが「００１０」（Status 1=0010）の場合はＮＲＤタイプを表す。「Ｓｔａｔｕｓ  １」フィールドが「０１００」（Status 1=0100）の場合はＰＢＡタイプを表す。「Ｓｔａｔｕｓ  １」フィールドが「０１１１」（Status 1=0111）の場合は使用不可（Unusable）タイプを表す。
【００４２】
次に、「Ｓｔａｔｕｓ  ２」フィールドによる欠陥タイプを詳細に説明する。「Ｓｔａｔｕｓ  ２」フィールドが「００００」（Status 2=0000）の場合は、後続の設定（following settings）に有効な設定がないことを表す。「Ｓｔａｔｕｓ  ２」フィールドが「１０００」（Status 2=1000）の場合は、代替アドレス（replacement address）が割り当てられ、この代替アドレスにコンテンツの一部が記録されたＲＡＤタイプを表す。この「Ｓｔａｔｕｓ  ２」フィールドは、「Ｓｔａｔｕｓ  １」フィールドが「１０００」の場合にのみ意味を持つことに留意されたい。「Ｓｔａｔｕｓ  ２」フィールドが「０１００」（Status 2=0100）であり、かつ「Ｓｔａｔｕｓ  １」フィールドが「０１００」の場合は、該当のクラスタが関連のあるユーザーデータを含まないことを表す。「Ｓｔａｔｕｓ  ２」フィールドが「０１００」（Status 2=0100）であり、かつ「Ｓｔａｔｕｓ  １」フィールドが「００１０」の場合は、該当のクラスタが以前に欠陥クラスタとして検出されたことがあることを表す。
【００４３】
上記と関連して、複数の記録層を持つディスクで特定の一つの記録層に欠陥が生じると、当該欠陥と物理的に同一位置にある上位記録層及び／または下位記録層のデータ領域も当該欠陥によって影響を受けることがある。例えば、ディスクの複数の記録層に垂直に入射する光ビームの進行経路に欠陥がある場合、当該欠陥のために光ビームは、分散、反射または回折することがあり、さらに当該欠陥のために他の記録層に記録されたデータが正確に読み出されなかったり、再生されなかったりすることがある。
【００４４】
したがって、本発明は、複数の記録層を持つ高密度ディスクで欠陥領域が存在する場合、複数の記録層において光ビームの進行方向を基準に物理的に同一位置に在る領域をＰＢＡとして登録する改良方法を提示する。ＰＢＡとして登録された欠陥領域は、ＰＢＡの検証結果によって管理される。
【００４５】
例えば、複数の記録層を備えたディスクにおいて特定の記録層に欠陥が存在すると、欠陥リストの「Ｓｔａｔｕｓ  １」フィールドには「０１００」が設定され、「Ｄｅｆｅｃｔｉｖｅ  Ｃｌｕｓｔｅｒ  ｆｉｒｓｔ  ＰＳＮ」フィールドには、ＰＢＡとして登録されるクラスタの最初の物理クラスタの最初のＰＳＮが記録される。
【００４６】
欠陥が存在する特定の記録層以外の他の記録層内にユーザーデータが記録されているか否か分からないため、「Ｓｔａｔｕｓ  ２」フィールドには「００００」が設定される。
【００４７】
以後の検証過程で、ＰＢＡとして登録された領域は、それらの信頼性に関して検査された後、この検証の結果によって欠陥リストから削除されたり、ＲＡＤタイプまたはＮＲＤタイプとして欠陥リストに加えられたりすることができる。
【００４８】
図３は、本発明に係るディスクの欠陥領域を管理する方法を示す概念図である。特に、複数の記録層を備えた記録媒体のうち、記録層が４つである場合を挙げて説明するが、本発明は、複数の記録層を持つ記録媒体のいずれにも適用可能であることに留意されたい。
【００４９】
図３を参照すると、参照文字「Ａ」は第１の実施例を示す。この第１の実施例Ａは、最下位記録層Ｌ３に欠陥領域Ａ３が存在する場合を示す。第１の実施例Ａは、最下位記録層Ｌ３以外の他の記録層Ｌ０、Ｌ１、Ｌ２において、光ビームの進行方向を基準として欠陥領域Ａ３と物理的に対応する位置に在る領域Ａ０、Ａ１、Ａ２をＰＢＡと判断し、ＰＢＡを管理領域の欠陥リストに登録する。このＰＢＡはクラスタ単位に登録可能である。
【００５０】
図３を参照すると、参照文字「Ｂ」は第２の実施例を示す。この第２の実施例Ｂは、最下位記録層Ｌ３以外の他の記録層Ｌ０、Ｌ１、Ｌ２のいずれか一つの記録層に欠陥領域が存在する場合を示す。特に、特定記録層Ｌ１に欠陥領域Ｂ１が存在すると、この第２の実施例は、特定記録層Ｌ１以外の記録層Ｌ０、Ｌ２、Ｌ３において、光ビームの進行方向を基準として欠陥領域Ｂ１と物理的に対応する位置に在る領域Ｂ０、Ｂ２、Ｂ３をＰＢＡと判断し、ＰＢＡを管理領域の欠陥リストに登録する。
【００５１】
図３を参照すると、参照文字「Ｃ」は第３の実施例を示す。この第３の実施例Ｃは、複数の記録層において物理的に同一領域に欠陥が存在する場合を示す。より詳細に説明すると、複数の記録層において物理的に同一領域に欠陥が存在する場合、当該欠陥領域と物理的に対応する他の記録層の領域がＰＢＡと判断される。最下位記録層Ｌ３に欠陥領域Ｃ３が存在し、かつ最下位記録層Ｌ３以外の残りの記録層のうち記録層Ｌ１に欠陥領域Ｃ１が存在する場合に、この第３の実施例Ｃは、欠陥領域Ｃ１、Ｃ３と物理的に対応する領域に存在するＣ０、Ｃ２をＰＢＡと判断し、このＰＢＡを管理領域の欠陥リストに登録する。
【００５２】
上記では３つの実施例について説明したが、その他の実施例も可能である。例えば、複数の記録層を持つ記録媒体において３つ以上の記録層において物理的に同一領域に欠陥が存在する場合、欠陥の存在しない記録層において欠陥の存在する領域と物理的に対応する位置に在る領域をＰＢＡと判断し、そのＰＢＡを管理領域の欠陥リストに登録する例も可能である。
【００５３】
図４は、本発明に係る光記録／再生装置１０を示すブロック図である。光記録／再生装置１０は、ピックアップ１１、サーボ１４、信号処理部１３、メモリー１５及びマイクロプロセッサ１６を含んでいる。
【００５４】
ピックアップ１１は、ディスクに記録されたオリジナルデータを読み出し、再生管理ファイル情報を含む管理情報を再生する。サーボ１４は、ピックアップ１１の動作を制御する。信号処理部１３は、ピックアップ１１から再生信号を受信して、受信した再生信号を所望の信号値に復元し、または記録されるべき信号をディスクに記録される信号に変調して、復元信号または変調信号を伝達する。メモリー１５は、ディスクの記録／再生のために必要な各種情報を保存する。マイクロプロセッサ１６は、光記録／再生装置１０に含まれる上記の各構成要素の動作全体を制御する。
【００５５】
なお、ピックアップ１１、サーボ１４、信号処理部１３、メモリー１５、マイクロプロセッサ１６を総じて記録／再生部２０と呼ぶこともできる。再生の観点で見ると、記録／再生部２０は、制御器１２の制御信号によってディスク３０またはストレージ１９からデータを読み出し、読み出したデータをデコーダに提供する。すなわち、データ再生の観点で見ると、記録／再生部２０は、ディスクまたはストレージからデータを読み出し可能な再生部（または、読出部）の役割を果たす。データ記録の観点で見ると、記録／再生部２０は、ＡＶエンコーダ１８によりエンコードされた信号を受け取り、ビデオデータ及びオーディオデータとしてディスク３０に記録する記録部の役割を果たす。
【００５６】
ここで、ストレージ１９は、記録／再生装置１０内に含むことも、記録／再生装置１０に連結することも可能であり、ユーザーは、所望の情報またはデータをストレージ１９に保存して、いつでも使用することができる。例えば、持続性（persistency）を持つデータを必要に応じてストレージ１９に保存することができる。現在、記録／再生装置１０についての様々なストレージが存在するが、その例には、記録／再生装置１０内に組み込まれるフラッシュメモリーと、記録／再生装置１０に着脱自在に連結されるＵＳＢメモリーと、ＨＤＤメモリーと、メモリーカードなどがある。
【００５７】
ストレージ１９は、記録媒体（例えば、ＢＤまたはＨＤ−ＤＶＤ）と関連したデータを保存するストレージ部として用いることができる。この記録媒体と関連してストレージ内に保存されるデータは、外部からダウンロードされるデータが一般的であるが、記録媒体からデータが直接読み出されてストレージ１９に保存されることも可能である。
【００５８】
制御器１２は、記録／再生装置１０内の構成要素全体を制御し、ユーザーインターフェースを介して記録媒体のデータ再生を制御し、ユーザー命令に応じて記録媒体の外部に存在するデータのダウンロードを制御する。
【００５９】
この制御器１２とマイクロプロセッサ１６は別個のものとして備えられて動作しても良いし、制御器１２とマイクロプロセッサ１６の機能が統合され、両者が一つの制御部（control unit）として動作しても良い。以下では、制御器１２及び／またはマイクロプロセッサ１６を制御部として説明する。なお、この制御部は、記録／再生装置１０内に備えられるプログラム（ソフトウェア）及び／またはハードウェアで構成されることができる。制御部が独立したユニットとして使用される場合に、制御部は、ホストとも呼ばれ、この制御部の制御を受ける他の機器（例えば、記録／再生部）は同期化デバイス（sync device）とも呼ばれる。このホストと同期化デバイスは、インターフェース部（図示せず）を介して連結され、互いに制御信号を伝達する。パーソナルコンピュータ（ＰＣ）に装着された中央処理処置（ＣＰＵ）がホストの代表例であり、このホストの制御を受けるその他の装置が上記同期化デバイスに該当する。
【００６０】
ＡＶデコーダ１７は、記録媒体及び／またはストレージ１９から受け取ったデータを、制御部からの制御信号を受信すると最終的にデコーディングし、出力データとしてユーザーに伝達する。ＡＶデコーダ１７は、データの種類によって複数のデコーダで構成されても良い。
【００６１】
ＡＶエンコーダ１８は、制御部からの制御信号を受信すると、入力信号をディスクに記録可能な特定フォーマットの信号（例えば、ＭＰＥＧ−２トランスポートストリーム）に変換し、変換した信号を信号処理部１３に伝達して、光ディスクに信号を記録可能なようにする。
【００６２】
本発明では、制御部は、記録媒体の１つ以上の記録層に欠陥領域が存在するか否かを確認する。記録媒体に欠陥領域が存在すると、制御部は、この欠陥領域に関する情報である第１の欠陥管理情報を管理領域に記録する。また、制御部は、この欠陥領域と物理的に同一位置の領域に関する情報である第２の欠陥管理情報を管理領域に記録する。
【００６３】
図５は、本発明に係る記録媒体に対するデータの記録／再生方法を示すフローチャートである。
【００６４】
１つ以上の記録層を持つ記録媒体が記録／再生装置にローディングされると（Ｓ１０）、記録／再生部は、記録媒体の少なくとも１つの記録層に欠陥領域が存在するか否か確認する（Ｓ２０）。この時、欠陥領域は、複数の記録層のうち１つの記録層にのみ存在することもあり、複数の記録層に存在することもある。
【００６５】
Ｓ２０において、記録媒体における少なくとも１つの記録層に欠陥が存在すると確認された場合、制御部は、欠陥の存在する欠陥領域に関する管理情報を生成し、第１の欠陥管理情報として記録媒体の管理領域に記録する（Ｓ３０）。制御部は、欠陥の存在しない記録層において欠陥領域と物理的に同一位置に在る領域に関する管理情報を生成し、第２の欠陥管理情報として記録媒体の管理領域に記録する（Ｓ４０）。例えば、この欠陥領域は、ＲＡＤまたはＮＲＤとして管理領域に登録され、この欠陥領域と物理的に同一位置に在る他の記録層内の領域はＰＢＡとして管理領域に登録される。
【００６６】
一方、Ｓ２０において、記録媒体のいずれの記録層にも欠陥が存在しないと確認された場合、制御部は、記録媒体へのデータ記録中であれば記録中のデータを記録媒体に記録する。そして、記録媒体からのデータ再生中であれば再生中のデータは引き続き再生される（Ｓ５０）。
【００６７】
第１の欠陥管理情報と第２の欠陥管理情報は、管理領域内に欠陥リストの形態で記録できる。これら第１の欠陥管理情報と第２の欠陥管理情報によって指し示される領域は、記録媒体の検証（Certification）が進行する間にそれらの信頼性について調査を受ける。
【００６８】
なお、上記の検証過程でＰＢＡとして登録された領域が欠陥領域と判断されると、これらの領域は、ＲＡＤまたはＮＲＤとして欠陥リストに加えられる。つまり、当該領域のあ管理情報が第１の欠陥管理情報として欠陥リストに加えられる。一方、ＰＢＡとして登録された領域が欠陥領域でないと上記の検証過程で判断されると、これらの領域に関する管理情報が欠陥リストから除去される。つまり、欠陥管理領域と物理的に同一位置に対応する領域に関する第２の欠陥管理情報が欠陥リストから除去される。
【００６９】
前述したように、複数の記録層を備えた記録媒体の記録層に欠陥領域がある場合に、本発明は、欠陥のある記録層の上位記録層及び／または下位記録層において欠陥領域と物理的に同一な領域を欠陥可能領域（defectable area）に含めることによって、欠陥からデータを保護することができる。
【００７０】
したがって、複数の記録層を持つ高密度ディスクを管理する方法を用いてデータが記録媒体に記録され、または記録媒体のデータが再生される場合に、本発明は、データの信頼性を向上させることができる。
【００７１】
図６は、本発明の他の実施形態に係る記録媒体構造を示す図である。図６を参照すると、ＤＭＡの他にＴＤＭＡが記録媒体にさらに割り当てられている。以下では記録層が一つである単一層（single layer）を例として説明するが、本発明は複数の記録層を持つ記録媒体にも適用可能である。
【００７２】
前述したように、本発明の記録媒体は、その種類に応じてＤＭＡの他にＴＤＭＡを備えることができる。このＴＤＭＡは、２種類のＴＤＭＡ（ＴＤＭＡ０、付加的なＴＤＭＡ）に大別される。すなわち、ディスク初期化時に、固定長（例えば、２０４８クラスタ）を持つＴＤＭＡ０がディスクの外周ゾーンに常に割り当てられる。付加的なＴＤＭＡは、必要に応じて、欠陥管理情報や記録管理情報のより多くのアップデートのために付加的に割り当てることができる。この付加的なＴＤＭＡの割当は任意選択的な事項であり、この付加的なＴＤＭＡは、各記録層のデータゾーン内のスペア領域に割り当てることができる。
【００７３】
具体的に言うと、各ＴＤＭＡは、ＴＤＤＳ（Temporary Disc Definition Structure）及びＴＤＦＬ（Temporary Defect List）とデータゾーンの記録状態を表す情報を含む。現在の記録モードが連続記録モード（Sequential Recording Mode）の場合には、ＳＲＲＩ（Sequential Recording Range Information）が上述した記録状態を表す情報としてＴＤＭＡに記録される。一方、現在の記録モードがランダム記録モード（Random Recording mode）の場合には、ＳＢＭ（Space Bit Maps）が上述した記録状態を表す情報としてＴＤＭＡに記録される。ＴＤＤＳは、スペア領域やＴＤＭＡの大きさなどの記録媒体のフォーマット及び状態（status）に関する情報を含む。ＴＤＦＬは、記録媒体がクローズされていなければ使用中のディスクの欠陥クラスタ及び代替クラスタに関する情報を含む。
【００７４】
ＴＤＭＡとＤＭＡは以下の関係を有する。１回のみ記録可能なディスクの場合、同一領域にはデータが複数回記録されることができないという特性の上、ＴＤＭＡ内にはディスク使用中に発生する欠陥管理情報だけでなく、ディスク内の記録状態を表す一般管理情報が混在して記録される。すなわち、ＴＤＭＡは、ディスクがクローズされる前に、ディスクの欠陥管理情報及び記録管理情報をアップデートするために使用される領域である。ディスクがクローズされる場合、該当のディスクにはそれ以上のデータを記録できない状態となるので、ＴＤＭＡ内の最終管理情報がＤＭＡ上に最終管理情報として記録される。
【００７５】
従って、光記録／再生装置１０は、ディスクがクローズされていないと判断すると、ＴＤＭＡに記録された情報を用いて、ディスクからデータを再生し、ディスクにデータを記録する。ディスク使用中にはＴＤＭＡ内に管理情報が記録される。ディスクがクローズされると、ＴＤＭＡ内の最終管理情報がＤＭＡ内に最終管理情報として記録される。光記録／再生装置１０は、ＤＭＡ内の最終管理情報を用いて該当のディスクのデータを再生する。
【００７６】
図１を参照すると、例えば、４個の記録層Ｌ０、Ｌ１、Ｌ２、Ｌ３の各内周ゾーンは、ＤＭＡ２、ＤＭＡ１を含み、各外周ゾーンはＤＭＡ３、ＤＭＡ４を含む。１つのＤＭＡ１が３２クラスタで構成されるとすれば、図１の記録媒体内の全てのＤＭＡ１は１２８クラスタとなる。ＴＤＭＡを持つディスクがクローズされる時に、ＴＤＭＡに記録された最終管理情報がディスク内の４個のＤＭＡに移転記録される。移転記録された管理情報は、ディスクの最終管理情報として使用される。
【００７７】
ＴＤＭＡ０は、使用中のＴＤＭＡを表すアクセスインジケータを含む。例えば、ディスクにＴＤＭＡ０、ＴＤＭＡ１及びＴＤＭＡ２が割り当てられており、これらＴＤＭＡのうちＴＤＭＡ１だけが使用されている場合、ＴＤＭＡ１に関連するアクセスインジケータ領域が使用されることとなる。このディスクがクローズされる場合には、ディスクがクローズされたことを表すべく、ディスクのＤＭＡに関連するアクセスインジケータ領域が使用される。
【００７８】
図７は、本発明の第１の実施形態に係る欠陥リスト状態情報を示す図である。説明の便宜上、ＤＭＡに記録されるディスク定義構造（disc definition structure：ＤＤＳ）を例として説明するが、本発明は、ＴＤＭＡに記録される他のディスク定義構造（ＤＤＳ）にも同一に適用可能であることに留意されたい。
【００７９】
ＤＭＡには、ディスク定義構造（ＤＤＳ）と欠陥リスト（ＤＦＬ）が記録される。ＤＤＳがＤＭＡの一部に反復して記録され、ＤＦＬは、ＤＤＳが記録されていない残りのＤＭＡ領域に記録される。この残りのＤＭＡ領域は、複数のサブ領域（例えば、７個のサブ領域）に区分可能であり、ＤＦＬは、区分された各サブ領域に反復して記録され、ダミーデータ（「００ｈ」ユーザー情報ともいう）が記録可能である。必要ならば、データが記録されない空き領域として存在しても良い。
【００８０】
上記ＤＭＡの区分されたサブ領域を欠陥リストポジション（position of DFL）として本発明を説明する。例えば、残りのＤＭＡ領域が７個の領域に区分された場合には、ＤＭＡは７個の欠陥リストポジションを含むこととなる。
【００８１】
以下では、ＤＭＡに７個の欠陥リストポジションが含まれた場合を例として説明するが、１つのＤＭＡに含まれる欠陥リストポジションの数が必ずしも７個に制限されるわけではなく、ディスクの種類、バージョン、容量などの情報によってその他の数にしても良い。
【００８２】
図７の（ａ）は、ディスク定義構造（ＤＤＳ）の一部を示す図である。特に、データフレームに３１が設定される場合には、当該データフレーム内のバイトポジション（byte position in data frame）と、このバイトポジションのコンテンツと、当該コンテンツのバイト数がＤＤＳに含まれる。
【００８３】
このＤＤＳのデータフレーム内のバイトポジションは、欠陥リスト（ＤＦＬ）の位置情報を含む。本発明で「欠陥リスト位置情報」は、管理領域に記録された欠陥リストの位置を表す情報を意味する。
【００８４】
本発明では、欠陥リスト位置情報を欠陥リストの最初のＰＳＮ（first PSN of defect list）（図７の「Ｐ＿ＤＦＬ」）を例として説明するが、この位置情報が欠陥リストの最初のＰＳＮのみに限定されることはなく、他の例にも適用可能であるは明らかである。
【００８５】
「欠陥リストの最初のＰＳＮ」は、該当のＤＤＳを含むＤＭＡで、有効欠陥リストを持っている最初の欠陥リストポジションを特定する。この最初のＰＳＮ情報は４バイトで表現可能である。
【００８６】
ただし、最初のＰＳＮ情報に最初の欠陥リストポジションに具体的にどんな情報が記録されているかを表す情報が含まれているのではない。また、欠陥のないポジションに欠陥リストが記録され、ＤＤＳ内の欠陥リストの最初のＰＳＮフィールドに当該領域の最初のＰＳＮが設定された場合、それ以降に当該領域に欠陥が発生すると、この欠陥リストの最初のＰＳＮ情報のみでは有効欠陥リストが記録された次のポジションを検索し難い。
【００８７】
このため、本発明は、欠陥リストポジションにどんな情報が記録されるかを表すために欠陥リスト状態情報を該当のＤＭＡに記録する。
【００８８】
本発明に係る「欠陥リスト状態情報（DFL status information）」は、該当の欠陥リストポジションに記録された欠陥リストの状態あるいは該当の欠陥リストポジションの記録状態を表す情報である。例えば、欠陥リスト状態情報は、欠陥リストポジションに有効欠陥リストが記録されているか否かを表すことが可能な特定の情報としてもよい。
【００８９】
図７の（ａ）を参照すると、欠陥リスト状態情報はＤＤＳに含まれ、例えば、ＤＤＳのデータフレーム内のバイトポジショ９６が欠陥リスト状態情報を表すことができる。
【００９０】
図７の（ｂ）は、図７の（ａ）の欠陥リスト状態情報をビット単位に表現したものである。欠陥リスト状態情報がビット単位で表現される場合、本発明では、ビットで表現された欠陥リスト状態情報を欠陥リストビットマップと呼ぶものとする。
【００９１】
図７の（ｂ）を参照すると、ＤＭＡに含まれた各欠陥リストポジションに対して１ビットずつが割り当てられ、割り当てられた各ビットに、各欠陥リストポジションに有効欠陥リストが記録された領域であるか否かが表示される。
【００９２】
ＤＭＡに７個の欠陥リストポジションが含まれた場合には、例えば、１バイト大きさを持つ欠陥リストビットマップで欠陥リスト状態情報を表現することができる。
【００９３】
この場合、欠陥リスト状態情報を表す１バイトのうち、ビットｂ０は欠陥リストの第７のポジション（7th position of DFL）の状態情報に対応し、ビットｂ１は欠陥リストの第６のポジション（6th position of DFL）の状態情報に対応し、ビットｂ２は欠陥リストの第５のポジション（5th position of DFL）の状態情報に対応し、ビットｂ３は欠陥リストの第４のポジション（4th position of DFL）の状態情報に対応し、ビットｂ４は欠陥リストの第３のポジション（3rd position of DFL）の状態情報に対応し、ビットｂ５は欠陥リストの第２のポジション（2nd position of DFL）の状態情報に対応し、ビットｂ６は欠陥リストの第１のポジション（1st position of DFL）の状態情報に対応することができる。ビットｂ７は予備領域である。
【００９４】
例えば、有効欠陥リストを含むポジションの該当ビットは１ｂと設定され、有効でない欠陥リストが記録されたポジション、００ｈユーザー情報が記録されたポジション、及びいずれのデータも記録されていないポジションは０ｂに設定されることによって、各欠陥リストポジション内の欠陥リスト状態情報が表現可能となる。
【００９５】
各ビットが表す欠陥リスト状態情報は一例に過ぎず、各欠陥リストポジションのために割り当てられた各ビットの順序を、上記で説明したのと逆にしても良い。例えば、ビットｂ７に欠陥リストの第１のポジションの状態情報が含まれても良い。
【００９６】
図８は、本発明の第２の実施形態に係る欠陥リスト状態情報を示す図である。図８の（ａ）は、図７の（ａ）と同様に、欠陥リスト状態情報がＤＤＳに含まれた場合を例にしたものである。ただし、図８の（ａ）は、欠陥リスト状態情報が２バイトで表現されるという点で図７の（ａ）と異なっている。図８の（ｂ）は、図８の（ａ）の欠陥リスト状態情報を複数ビットで表現した場合である。
【００９７】
例えば、ＤＭＡに含まれた各欠陥リストポジションに対して２ビットずつが割り当てられる。割り当てられた２ビットにより各欠陥リストポジションで有効欠陥リストが記録された領域なのか、有効でない欠陥リストが記録された領域なのか、００ｈユーザーデータが記録された領域なのか、データが記録されていない空き領域なのかが表示される。
【００９８】
例えば、欠陥リスト状態情報を表す２バイトのうち、ビットｂ１ｂ０は欠陥リストの第７のポジション（7th position of DFL）の状態情報に対応し、ビットｂ３ｂ２は欠陥リストの第６のポジション（6th position of DFL）の状態情報に対応し、ビットｂ５ｂ４には欠陥リストの第５のポジション（5th position of DFL）の状態情報に対応し、ビットｂ７ｂ６には欠陥リストの第４のポジション（4th position of DFL）の状態情報に対応し、ビットｂ９ｂ８には欠陥リストの第３のポジション（3rd position of DFL）の状態情報に対応し、ビットｂ１１ｂ１０には欠陥リストの第２のポジション（2nd position of DFL）の状態情報に対応し、ビットｂ１３ｂ１２には欠陥リストの第１のポジション（1st position of DFL）の状態情報に対応することができる。ビットｂ１５ｂ１４は予備領域である。この欠陥リスト状態情報のために割り当てられた各２ビットの割当順序は、上記で説明したのと逆にしても良い。例えば、ビットｂ１５ｂ１４に欠陥リストの第１のポジションの状態情報が含まれても良い。
【００９９】
図７及び図８に基づいて説明した欠陥リスト状態情報は、ＤＤＳ内の特定フィールドに含まれることができ、前述したバイトポジションは一例に過ぎない。したがって、欠陥リスト状態情報がＤＤＳに含まれる場合、このＤＤＳのデータフレームで欠陥リスト状態情報が占めるバイトポジションの位置は変更可能である。
【０１００】
図９は、本発明に係る欠陥リスト状態情報を割り当てる方法の一実施例を示す図である。ここで、「方法１」は、各欠陥リストポジションに対して欠陥リスト状態情報が１ビットで表現される例を示し、「方法２」は各欠陥リスト状態情報が２ビットで表現される例を示す。
【０１０１】
「方法１」について説明すると、欠陥リストのポジションが有効欠陥リスト（valid DFL）を含む場合には、このポジションに対する欠陥リスト状態情報が「１ｂ」に設定される。欠陥リストのポジションが有効でない欠陥リスト（invalid DFL）または００ｈユーザーデータを含む場合や何のデータも含まない場合には、欠陥リスト状態情報を「０ｂ」に設定することができる。言うまでもなく、「１ｂ」と「０ｂ」の意味が反対に定義されても良い。
【０１０２】
「方法２」について説明すると、欠陥リストのポジションが有効欠陥リストである場合には、このポジションに対する欠陥リスト状態情報が「１１ｂ」に設定される。欠陥リストのポジションが有効でない欠陥リストを含む場合には欠陥リスト状態情報が「１０ｂ」に設定される。欠陥リストのポジションが００ｈユーザーデータを含む場合には欠陥リスト状態情報が「０１ｂ」に設定される。欠陥リストのポジションが空き領域、すなわち、当該ポジションに何のデータも記録されていない場合には欠陥リスト状態情報が「００ｂ」に設定される。
【０１０３】
言うまでもなく、この「１１ｂ」、「１０ｂ」、「０１ｂ」、「００ｂ」と欠陥リスト状態情報間の関係が上記と異なって定義されても良い。
【０１０４】
「方法１」及び「方法２」以外にも、「有効欠陥リストのポジション（position of valid DFL）」、「有効でない欠陥リスト（position of invalid DFL）のポジション」、「００ｈユーザーデータ（position of 00h user data）のポジション」及び空きポジション（empty position）などをビットで表す他の方法も本発明に適用可能である。
【０１０５】
なお、欠陥リスト状態情報のために割り当てられるバイト数（またはビット数）は、割り当てられる欠陥リストポジションの数によって異なってくる。例えば、９個〜１６個の欠陥リストポジションがＤＭＡに割り当てられる場合、「方法１」では１バイトが欠陥リスト状態情報のために割り当てられ、「方法２」では２バイトが欠陥リスト状態情報のために割り当てられることができる。
【０１０６】
なお、ディスクの記録モードが連続記録モード（sequential recording mode）である場合には、ディスクの記録に関する管理情報をＳＲＲＩ（sequential recording range information）とし、一方、ディスク記録モードがランダム記録モード（random recording mode）である場合には、ディスクの記録に関する管理情報をＳＢＭ（Space Bit-Map）として本発明についてより具体的に説明すると、下記の通りである。
【０１０７】
図１０は、４つの記録層を有する記録媒体において、本発明によって管理領域に記録された管理情報の第１の実施例を示す図である。
【０１０８】
図１０を参照すると、クラスタ１「ｃｌｕｓｔｅｒ１」はＤＤＳ＋ＳＢＭ０／ＳＲＲＩを含み、クラスタ２「ｃｌｕｓｔｅｒ２」はＤＤＳ＋ＳＢＭ１／ＳＲＲＩを含み、クラスタ３「ｃｌｕｓｔｅｒ３」はＤＤＳ＋ＳＢＭ２／ＳＲＲＩを含み、クラスタ４「ｃｌｕｓｔｅｒ４」はＤＤＳ＋ＳＢＭ３／ＳＲＲＩをそれぞれ含む。クラスタ５「ｃｌｕｓｔｅｒ５」〜クラスタ８「ｃｌｕｓｔｅｒ８」は、クラスタ１〜クラスタ４とは逆順にＳＢＭを含むことができる。すなわち、クラスタ５「ｃｌｕｓｔｅｒ５」はＤＤＳ＋ＳＢＭ３／ＳＲＲＩを含み、クラスタ６「ｃｌｕｓｔｅｒ６」はＤＤＳ＋ＳＢＭ２／ＳＲＲＩを含み、クラスタ７「ｃｌｕｓｔｅｒ７」はＤＤＳ＋ＳＢＭ１／ＳＲＲＩを含み、クラスタ８「ｃｌｕｓｔｅｒ８」はＤＤＳ＋ＳＢＭ０／ＳＲＲＩをそれぞれ含む。
【０１０９】
この時、各クラスタに記録されるＳＢＭの順序は一例に過ぎず、他の順序を設定してもよい。他の例を挙げると、クラスタ５「ｃｌｕｓｔｅｒ５」〜クラスタ８「ｃｌｕｓｔｅｒ８」はそれぞれ、クラスタ１〜クラスタ４内の管理情報と同じ管理情報を含んでも良い。
【０１１０】
図１０を参照すると、クラスタ９〜１６は予備領域と設定されている。クラスタ１７〜３２は、欠陥リストの第１のポジションであり、欠陥リスト（ＤＦＬ）が欠陥リストの第１のポジションに記録されている。クラスタ３３〜４８は、欠陥リストの第２のポジション、クラスタ４９〜６４は欠陥リストの第３のポジション、クラスタ６５〜８０は欠陥リストの第４のポジション、クラスタ８１〜９６は欠陥リストの第５のポジション、クラスタ９７〜１１２は欠陥リストの第６のポジション、クラスタ１１３〜１２８は欠陥リストの第７のポジションに該当する。
【０１１１】
この時、欠陥リストの第２のポジションから第７のポジションまでのクラスタに選択的に欠陥リストが複写され、または００ｈユーザーデータが必要に応じて当該クラスタに記録されても良い。
【０１１２】
本発明の記録／再生装置１０は、データ再生時に、管理情報から欠陥リスト位置情報、例えば、欠陥リストの最初ＰＳＮ（Ｐ＿ＤＦＬ）情報を読み出し、欠陥リストの第１のポジションに欠陥リストが記録されていることがわかる。
【０１１３】
図４を参照すると、本発明の記録／再生装置１０の制御部は、ローディングされたディスクのデータがフォーマットまたは検証される場合、あるいは欠陥リストポジションに欠陥リストが新しく記録されたり既存の欠陥リストが削除されたりする場合に、このフォーマットまたは検証当時または各欠陥リストポジション内のデータの変更当時の各欠陥リストポジションに含まれた欠陥リストの状態を確認することができる。この制御部は、確認された欠陥リストの状態に基づいて各欠陥リストポジションに関する欠陥リスト状態情報を保存またはアップデートすることができる。
【０１１４】
図１１は、４つの記録層を有する記録媒体において、本発明によって管理領域に記録された管理情報の第２の実施例を示す図であり、第２の実施例に基づいて欠陥リストの各ポジションに記録された情報の特徴を示す図である。
【０１１５】
図１１の（ａ）を参照すると、欠陥リストの第１のポジションには、有効でない欠陥リストが記録されており、欠陥リストの第２のポジションには有効欠陥リストが記録されており、欠陥リストの第３のポジション〜欠陥リストの第７のポジションにはデータが記録されていない。
【０１１６】
図１１の（ｂ）は、図１１の（ａ）の各欠陥リストポジションに記録された情報の特性を示す例である。欠陥リストの第１のポジション〜欠陥リストの第７のポジションに記録された情報の特性が、図９で説明した方法１と方法２によって、欠陥リスト状態情報を示す欠陥リストビットマップに表示される。
【０１１７】
図１１の（ｂ）と図１０を参照すると、上記の方法１によって各欠陥リストポジションに記録された情報の特性は、次のように表示できる。欠陥リストの第１のポジションは有効でない欠陥リストを含むので「０ｂ」に設定される。欠陥リストの第２のポジションは有効欠陥リストを含むので「１ｂ」に設定される。欠陥リストの第３のポジション〜第７のポジションはデータが記録されていない空き領域であるから「０ｂ」が、欠陥リストビットマップにそれぞれ表示されることができる。
【０１１８】
上記の方法２によって各欠陥リストポジションに記録された情報の特性は、次のように表示できる。欠陥リストの第１のポジションは、有効でない欠陥リストを含むので「１０ｂ」に設定される。欠陥リストの第２のポジションは有効欠陥リストを含むので「１１ｂ」に設定される。欠陥リストの第３のポジション〜第７のポジションはデータが記録されていない空き（empty）領域であるから「００ｂ」が、欠陥リストビットマップにそれぞれ表示されることができる。
【０１１９】
例えば、ＤＭＡに欠陥リストを記録する時に、欠陥リストの第１のポジションに欠陥リストを記録し、ＤＤＳにおける欠陥リストの最初のＰＳＮ情報が欠陥リストの第１のポジションを指し示すと仮定する。欠陥リストの第１のポジションに欠陥が発生する場合、本発明の記録／再生装置１０は、欠陥リスト状態情報を確認し、欠陥リストの第２のポジションに有効欠陥リストが記録されていることがわかる。
【０１２０】
図１２は、記録媒体が記録層を４つ有する場合において、本発明によって管理領域に記録された管理情報の第３の実施例を示す図であり、第３の実施例に基づいて各欠陥リストのポジションに記録された情報の特性を示す図である。
【０１２１】
図１２の（ａ）を参照すると、欠陥リストの第１のポジション及び第２のポジションには、有効でない欠陥リストが記録されており、欠陥リストの第３のポジションには、有効欠陥リストが記録されている。欠陥リストの第４のポジション〜欠陥リストの第７のポジションには、００ｈユーザーデータが記録されている。
【０１２２】
図１２の（ｂ）は、図１２の（ａ）の各欠陥リストポジションに記録された情報の特性を示す例である。欠陥リストの第１のポジション〜欠陥リストの第７のポジションに記録された情報の特性が、図９で説明した方法１と方法２によって、欠陥リスト状態情報を示す欠陥リストビットマップに表示される。
【０１２３】
図１２の（ｂ）と図１０を参照して、上記の方法１によって各欠陥リストポジションに記録された情報の特性を表示すると、次の通りである。欠陥リストの第１のポジション及び第２のポジションは、有効でない欠陥リストを含むのでそれぞれ「０ｂ」が設定される。欠陥リストの第３のポジションは有効欠陥リストを含むので「１ｂ」が設定される。欠陥リストの第４のポジション〜第７のポジションは００ｈユーザーデータを含むので「０ｂ」が、欠陥リストビットマップにそれぞれ表示されることができる。
【０１２４】
上記の方法２によって各欠陥リストポジションに記録された情報の特性を表示すると、次の通りである。欠陥リストの第１のポジション及び第２のポジションは、有効でない欠陥リストを含むので「１０ｂ」に設定される。欠陥リストの第３のポジションは有効欠陥リストを含むので「１１ｂ」に設定される。欠陥リストの第４のポジション〜第７のポジションはデータの記録されない空き領域であるから「００ｂ」が、欠陥リストビットマップにそれぞれ表示されることができる。
【０１２５】
本発明の記録／再生装置１０は、欠陥リストビットマップ、すなわち、欠陥リスト状態情報を確認し、ＤＭＡ内で有効欠陥リストが存在する欠陥リストポジションが欠陥リストの第３のポジションであることがわかる。
【０１２６】
図１３は、４つの記録層を有する記録媒体において、本発明によって管理領域に記録された管理情報の第４の実施例を示す図であり、第４の実施例に基づいて欠陥リストの各ポジションに記録された情報の特性を示す図である。
【０１２７】
図１３の（ａ）と図１０を参照すると、欠陥リストの第１のポジション、第３のポジション、第５のポジション及び第６のポジションには、有効欠陥リストが記録されており、欠陥リストの第２のポジション、第４のポジション及び欠陥リストの第７のポジションには、有効でない欠陥リストが記録されている。
【０１２８】
図１３の（ｂ）は、図１３の（ａ）の各欠陥リストポジションに記録された情報の特性を示す。欠陥リストの第１のポジション〜欠陥リストの第７のポジションに記録された情報の特性が、図９で説明した方法１と方法２によって、欠陥リスト状態情報を示す欠陥リストビットマップに表示される。
【０１２９】
図１３の（ｂ）と図１０を参照して、上記の方法１によって各欠陥リストポジションに記録された情報の特性を表示すると、次の通りである。欠陥リストの第１のポジション、第３のポジション、第５のポジション及び第６のポジションは有効欠陥リストを含むので「１ｂ」が設定され、欠陥リストの第２のポジション、第４のポジション及び第７のポジションは００ｈユーザーデータを含むので「０ｂ」が、欠陥リストビットマップにそれぞれ表示されることができる。
【０１３０】
上記の方法２によって各欠陥リストポジションに記録された情報の特性を表示すると、次の通りである。欠陥リストの第１のポジション、第３のポジション、第５のポジション及び第６のポジションは有効欠陥リストを含むので「１１ｂ」に設定される。第２のポジション、第４のポジション及び第７のポジションは有効でない欠陥リストを含むので「１０ｂ」が、欠陥リストビットマップにそれぞれ表示されることができる。
【０１３１】
本発明の記録／再生装置１０は、欠陥リストビットマップ、すなわち、欠陥リスト状態情報を確認し、ＤＭＡ内で有効欠陥リストが存在する先頭位置が欠陥リストの第１のポジションのクラスタ１７〜クラスタ３２であるということが認識できる。
【０１３２】
図１４は、本発明に係る記録媒体からデータを再生する方法の第１の実施例を示すフローチャートである。図１４を参照すると、少なくとも１つ以上の記録層を備えた記録媒体が記録／再生装置１０にローディングされると（Ｓ１０）、記録／再生装置１０は、記録媒体の管理領域から欠陥リスト状態情報を読み出す（Ｓ１１）。
【０１３３】
記録／再生装置１０は、読み出された欠陥リスト状態情報を用いて有効欠陥リストを確認し（Ｓ１２）、確認された有効欠陥リストを用いて記録媒体にデータを記録し、記録媒体からデータを再生する（Ｓ１３）。
【０１３４】
図１５は、本発明に係る記録媒体からデータを再生する方法の第２の実施例を示すフローチャートである。図１５を参照すると、少なくとも１つ以上の記録層を備えた記録媒体が記録／再生装置１０にローディングされると（Ｓ２０）、記録／再生装置１０は、記録媒体の管理領域から欠陥リスト位置情報を読み出す（Ｓ２１）。欠陥リスト位置情報は、管理領域に記録された有効欠陥リストの位置を示す情報である。記録／再生装置１０は、欠陥リスト位置情報が示す欠陥リストポジションに有効欠陥リストが存在するかどうか確認する（Ｓ２２）。
【０１３５】
段階Ｓ２２において、示された欠陥リストポジションに有効欠陥リストが存在すると確認された場合、記録／再生装置１０は、示された欠陥リストポジションに記録された有効欠陥リストを用いて記録媒体からデータを再生する（Ｓ２３）。
【０１３６】
一方、段階Ｓ２２において、示された欠陥リストポジションに有効欠陥リストが存在しないと確認された場合、記録／再生装置１０は、欠陥リスト状態情報を読み出す（Ｓ２４）。この欠陥リスト状態情報を確認することによって、記録／再生装置１０は、管理領域において有効欠陥リストの記録された欠陥リストポジションを確認することができる。
【０１３７】
記録／再生装置１０は、欠陥リストポジションに記録された有効欠陥リストを確認し（Ｓ２５）、記録媒体にデータを記録し、記録媒体からデータを再生することができる（Ｓ２６）。
【０１３８】
以上説明してきた具体的な実施例は、本発明を例示するためのもので、したがって、添付の特許請求の範囲に開示された本発明の技術的思想とその技術的範囲内で、様々な他の実施例に改良、変更、代替または付加可能であるということは、当業者にとっては明らかである。
【図面の簡単な説明】
【０１３９】
【図１】本発明の一実施形態に係る記録媒体の構造を示す図である。
【図２】本発明による欠陥リストを示す図である。
【図３】本発明によるディスクの欠陥領域を管理する方法を示す概念図である。
【図４】本発明による記録／再生装置を示すブロック図である。
【図５】本発明による記録媒体に対するデータ記録／再生方法を示すフローチャートである。
【図６】本発明の他の実施形態に係る記録媒体の構造を示す図である。
【図７】本発明の第１の実施例による欠陥リストの状態情報を示す図である。
【図８】本発明の第２の実施例による欠陥リストの状態情報を示す図である。
【図９】本発明によって欠陥リスト状態情報を割り当てる方法を示す概念図である。
【図１０】記録媒体が記録層を４つ備えた場合、管理領域に記録された管理情報の第１の実施例を示す図である。
【図１１】記録媒体が記録層を４つ備えた場合、本発明によって管理領域に記録された管理情報の第２の実施例と、この第２の実施例による結合リストの各ポジションに記録された情報の特性を例示する図である。
【図１２】本発明による記録媒体が記録層を４つ備えた場合、管理領域に記録された管理情報の第３の実施例と、この第３の実施例による欠陥リストの各ポジションに記録された情報の特性を例示する図である。
【図１３】記録媒体が記録層を４つ備えた場合、本発明によって管理領域に記録された管理情報の第４の実施例と、この第４の実施例による欠陥リストの各ポジションに記録された情報の特性を例示する図である。
【図１４】本発明の一実施例によって記録媒体からデータを再生する方法を示すフローチャートである。
【図１５】本発明の他の実施例によって記録媒体からデータを再生する方法を示すフローチャートである。
【図１】
2009540480.tif 000003
【図２】
2009540480.tif 000004
【図３】
2009540480.tif 000005
【図４】
2009540480.tif 000006
【図５】
2009540480.tif 000007
【図６】
2009540480.tif 000008
【図７】
2009540480.tif 000009
【図８】
2009540480.tif 000010
【図９】
2009540480.tif 000011
【図１０】
2009540480.tif 000012
【図１１】
2009540480.tif 000013
【図１２】
2009540480.tif 000014
【図１３】
2009540480.tif 000015
【図１４】
2009540480.tif 000016
【図１５】
2009540480.tif 000017
【国際調査報告】
2009540480.tif 000018
2009540480.tif 000019